(57)【要約】【課題】適切に且つ容易にグランドの接続を行うための電気錠システムの取付構造等を提供する。【解決手段】  本発明の電気錠システム１の取付構造７０は、電気錠３の回路基板２６を含むシリンダユニット４と、電源装置４１を含み室内側壁面２ｂ側からシリンダユニット４に連結される電装ユニット５と、を備え、シリンダユニット４は、導電体のハウジング２１と、回路基板２６上の第１基板側コネクタ３４と、ハウジング２１に接続される位置決め突起７１上の板状端子７２と、を有し、電装ユニット５は、コネクタ３４に接続される室内側コネクタ５３と、位置決め突起７１に接続される位置決め孔７３に設けられ、電源装置４１のグランド（ＧＮＤ）に接続されるバネ端子７４と、を有し、位置決め突起７１と位置決め孔７３との機械的な接続過程において、板状端子７２とバネ端子７４との接続は、コネクタ３４，５３同士の接続よりも前に行われる。【選択図】図７
2015190297.tif 000002
【特許請求の範囲】
【請求項１】
電気錠の回路基板を含む第１部材と、
前記第１部材に電力を供給する電源装置を含み、前記扉の一方の壁面側から前記第１部材に連結される第２部材と、を備え、
前記第１部材は、
前記回路基板を収容する導電体から成るハウジングと、
前記回路基板に電気的に接続されるコネクタと、
前記扉の一方の壁面側に設けられる位置決め部材と、
前記位置決め部材に設けられ、前記ハウジングに電気的に接続される第１グランド端子と、を有し、
前記第２部材は、
前記コネクタに電気的に接続される相手側コネクタと、
前記位置決め部材に機械的に接続される被位置決め部材と、
前記被位置決め部材に設けられ、前記電源装置のグランドに電気的に接続される第２グランド端子と、を有し、
前記位置決め部材と前記被位置決め部材との機械的な接続過程において、前記第１グランド端子と前記第２グランド端子との接続は、前記コネクタと前記相手側コネクタとの接続よりも前に行われることを特徴とする電気錠システムの取付構造。
【請求項２】
前記木口から前記扉に内設され、電気的な駆動源によってデッドボルトを進退させるボルト機構を内包する錠ケースを更に備え、
前記第１電装部材は、前記扉の他方の壁面側から一方の壁面側に向けて前記錠ケースに挿設され、前記ボルト機構を動作させて施解錠を行うシリンダユニットであることを特徴とする請求項１に記載の電気錠システムの取付構造。
【請求項３】
前記位置決め部材および前記被位置決め部材のうち一方は、前記扉の壁面に対する離接方向に沿って延びる位置決め突起であり、
前記位置決め部材および前記被位置決め部材のうち他方は、前記位置決め突起が嵌合する位置決め孔であり、
前記第１グランド端子および前記第２グランド端子のうち一方は、前記位置決め突起の上面に支持される板状端子であり、
前記第１グランド端子および前記第２グランド端子のうち他方は、前記板状端子の上面に弾力性をもって接触するバネ端子であることを特徴とする請求項１または２に記載の電気錠システムの取付構造。
【請求項４】
請求項１ないし３のいずれかに記載の電気錠システムの取付構造を備えていることを特徴とする電気錠システム。
【発明の詳細な説明】
【技術分野】
【０００１】
本発明は、扉の木口側からデッドボルトを電気的に進退駆動させて施解錠を行う電気錠システムの取付構造およびこれを備える電気錠システムに関する。
【背景技術】
【０００２】
近年、セキュリティや操作性の向上を目的として、建物の扉には、ＩＣカード等をリーダにかざして電気的に施解錠を行う電気錠が用いられている。
【０００３】
例えば、特許文献１には、扉の内部に収容される２つの錠箱と、扉の壁面に取り付けられる台座と、電池を保持するために台座の内部に設けられる電池収納部と、各錠箱および電池収納部からそれぞれ延びるコネクタ付きの電源線と、を備えた電気錠システムが開示されている。各錠箱の電源線は、扉の外部に引き出され、電池収納部の電源線と接続される。これにより、各錠箱に内設された制御回路基板に電力が供給される。
【先行技術文献】
【特許文献】
【０００４】
【特許文献１】特開２０１２−０８７４９５号公報
【発明の概要】
【発明が解決しようとする課題】
【０００５】
特許文献１に記載の電気錠システムは、制御回路基板や電池収納部の電気部品を正常に作動させるために、グランド接続を行う必要がある。ところが、近年では回路基板の小型化等に伴い、適切な位置に十分な面積のグランドを設けることが困難になっていた。このため、特許文献１に記載の電気錠システムでは、電池収納部に電池を収めた状態で各電源線の接続を行った場合、適切なグランド接続が確立されず、制御回路基板や電池収納部の電気部品が破壊される虞を有していた。また、破壊に至るほどではないが、電気錠システムの動作に不具合を発生させる虞もあった。
【０００６】
本発明は、上記した課題を解決すべくなされたものであり、適切に且つ容易にグランドの接続を行うための電気錠システムの取付構造およびこれを備える電気錠システムを提供することを目的とする。
【課題を解決するための手段】
【０００７】
上記した目的を達成するため、本発明の電気錠システムの取付構造は、電気錠の回路基板を含む第１部材と、前記第１部材に電力を供給する電源装置を含み、前記扉の一方の壁面側から前記第１部材に連結される第２部材と、を備え、前記第１部材は、前記回路基板を収容する導電体から成るハウジングと、前記回路基板に電気的に接続されるコネクタと、前記扉の一方の壁面側に設けられる位置決め部材と、前記位置決め部材に設けられ、前記ハウジングに電気的に接続される第１グランド端子と、を有し、前記第２部材は、前記コネクタに電気的に接続される相手側コネクタと、前記位置決め部材に機械的に接続される被位置決め部材と、前記被位置決め部材に設けられ、前記電源装置のグランドに電気的に接続される第２グランド端子と、を有し、前記位置決め部材と前記被位置決め部材との機械的な接続過程において、前記第１グランド端子と前記第２グランド端子との接続は、前記コネクタと前記相手側コネクタとの接続よりも前に行われることを特徴とする。
【０００８】
この構成によれば、第１グランド端子と第２グランド端子との接続は、コネクタと相手側コネクタとの接続よりも先に行われる。また、両端子が接続されると、電源装置のグランドは、両端子を介してフレーム・グランドとしてのハウジングに接続される。これにより、安定した基準電位を得ることができる。例えば、電源装置からの電力供給可能な状態で両コネクタの接続を行った場合であっても、適切なグランド接続が確立されているため、回路基板や電源装置の電気部品の破壊や動作不良を防止することができる。また、第１部材と第２部材との機械的な接続中に、第１グランド端子と第２グランド端子とが接続される。つまり、両接続作業を一連の動作によって行うことができる。これにより、第１部材と第２部材との機械的・電気的な接続を簡単に且つ迅速に行うことができる。
【０００９】
この場合、前記木口から前記扉に内設され、電気的な駆動源によってデッドボルトを進退させるボルト機構を内包する錠ケースを更に備え、前記第１電装部材は、前記扉の他方の壁面側から一方の壁面側に向けて前記錠ケースに挿設され、前記ボルト機構を動作させて施解錠を行うシリンダユニットであることが好ましい。
【００１０】
この構成によれば、シリンダユニットは第２部材側に向かって錠ケースに挿設されるため、コネクタ、位置決め部材および第１グランド端子は、それぞれ第２部材側に位置している。これにより、第１部材と第２部材との機械的・電気的な接続を、更に容易に行うことができる。
【００１１】
この場合、前記位置決め部材および前記被位置決め部材のうち一方は、前記扉の壁面に対する離接方向に沿って延びる位置決め突起であり、前記位置決め部材および前記被位置決め部材のうち他方は、前記位置決め突起が嵌合する位置決め孔であり、前記第１グランド端子および前記第２グランド端子のうち一方は、前記位置決め突起の上面に支持される板状端子であり、前記第１グランド端子および前記第２グランド端子のうち他方は、前記板状端子の上面に弾力性をもって接触するバネ端子であることが好ましい。
【００１２】
この構成によれば、位置決め孔に進入する位置決め突起をガイドにして、第１部材と第２部材との機械的な接続を行うことができる。また、位置決め孔に進入する位置決め突起にガイドされて、板状端子とバネ端子との接続を行うことができる。バネ端子は、自身の弾性力によって板状端子に圧接するため、適切な接触状態を維持することができる。
【００１３】
上記した目的を達成するため、本発明の電気錠システムは、上記したいずれかの電気錠システムの取付構造を備えていることを特徴とする。
【００１４】
この構成によれば、各コネクタ同士の接続よりも前に接続される両端子によって、電源装置のグランドは、フレーム・グランドとしてのハウジングに接続される。これにより、安定した基準電位を得ることができる。また、第１部材と第２部材との機械的な接続作業および第１グランド端子と第２グランド端子との接続作業は、一連の動作によって簡単に且つ迅速に行われる。
【発明の効果】
【００１５】
本発明によれば、電気錠システムにおいて、適切に且つ容易にグランドの接続を行うことができる。
【図面の簡単な説明】
【００１６】
【図１】本発明の第１実施形態に係る電気錠システムを模式的に示す分解斜視図である。
【図２】本発明の第１実施形態に係る電気錠システムを模式的に示す側面図である。
【図３】本発明の第１実施形態に係る電気錠システムのシリンダユニットの一部を示す斜視図である。
【図４】本発明の第１実施形態に係る電気錠システムの電装ユニットを示す正面図である。
【図５】本発明の第１実施形態に係る電気錠システムの電装ユニットの一部を示す斜視図である。
【図６】本発明の第１実施形態に係る電気錠システムのシリンダ取付装置の作用を説明する背面図であって、（Ａ）は固定・接続作業前の状態を示し、（Ｂ）は固定・接続作業が完了した状態を示している。
【図７】本発明の第１実施形態に係る電気錠システムの取付構造を模式的に示す断面図であって、（Ａ）は電装ユニットの取り付けを開始した状態を示し、（Ｂ）は電装ユニットを取り付けた状態を示している。
【図８】本発明の第２実施形態に係る電気錠システムを模式的に示す側断面図である。
【発明を実施するための形態】
【００１７】
以下、本発明の実施の形態について、添付した図面を参照しながら説明する。
【００１８】
（第１実施形態）
図１ないし図６を参照して、第１実施形態に係る電気錠システム１について説明する。図１は電気錠システム１を模式的に示す分解斜視図である。図２は電気錠システム１を模式的に示す側面図である。図３はシリンダユニット４の一部を示す斜視図である。図４は電装ユニット５を示す正面図である。図５は電装ユニット５の一部を示す斜視図である。図６はシリンダ取付装置６の作用を説明する背面図であって、（Ａ）は固定・接続作業前の状態を示し、（Ｂ）は固定・接続作業が完了した状態を示している。なお、以下の説明では、便宜上、図１および図２において、室外側である右側を正面（前）とし、室内側である左側を背面（後）とする。
【００１９】
図１および図２に示すように、電気錠システム１は、例えば、建物の扉２に設けられている。電気錠システム１は、電気錠３と、シリンダユニット４と、電装ユニット５と、シリンダ取付装置６と、を備えている。
【００２０】
電気錠３は、木口２ａから扉２の内部に設けられ、電気的な駆動源によって木口２ａ側でデッドボルト１５を進退させる。電気錠３は、木口２ａから扉２内に挿入される錠ケース１０と、錠ケース１０に内設されるボルト機構１１と、を含んで構成されている。
【００２１】
錠ケース１０は、取付板１２を介して扉２内に固定されている。錠ケース１０の上部には、シリンダユニット４を取り付けるためのシリンダ取付開口１３が厚み方向に貫通形成されている。シリンダ取付開口１３は、シリンダユニット４が嵌合するように略円形状に形成されている。また、錠ケース１０の下部には、室内側レバーハンドル７および室外側レバーハンドル８を取り付けるためのハンドル取付開口１４が厚み方向に貫通形成されている。なお、扉２の室内側壁面２ｂおよび室外側壁面２ｃには、シリンダ取付開口１３およびハンドル取付開口１４に対応する位置に、それぞれ、壁側開口（図示せず）が形成されている。
【００２２】
ボルト機構１１は、デッドボルト１５と、電動アクチュエータ１６と、動力伝達機構１７と、駆動制御回路１８と、を含んで構成されている。
【００２３】
電気的な駆動源としての電動アクチュエータ１６は、例えば、電動モータやソレノイド等によって構成されている。電動アクチュエータ１６は、木口２ａ側でデッドボルト１５を進退させる。動力伝達機構１７は、電動アクチュエータ１６の動力をデッドボルト１５に伝達すると共に、シリンダユニット４等からの施解錠動作をデッドボルト１５に伝達する。駆動制御回路１８は、電動アクチュエータ１６の駆動を制御する。また、駆動制御回路１８は、デッドボルト１５が木口２ａ側から突出しているか否かを検知するボルトセンサ（図示せず）を有している。
【００２４】
また、動力伝達機構１７は、室内側レバーハンドル７および室外側レバーハンドル８の動作をデッドボルト１５に伝達する。デッドボルト１５は、解錠時に室内側レバーハンドル７または室外側レバーハンドル８を回動操作することで錠ケース１０内に引き込まれる。これにより、扉２の開放が可能となる。なお、扉２を閉めると自動的にデッドボルト１５が突出するようになっている。
【００２５】
図１および図２に示すように、第１部材としてのシリンダユニット４は、扉２の室外側壁面２ｃ側から室内側壁面２ｂ側に向けて錠ケース１０に挿設され、ボルト機構１１を動作させて施解錠を行うために設けられている。シリンダユニット４は、外装部２０と、ハウジング２１と、シリンダ本体２２と、鍵穴部２３と、ダルマ部２４と、リーダ２５と、回路基板２６と、を含んで構成されている。
【００２６】
外装部２０は、前方に向けて縮径する円錐台状に形成され、室外側壁面２ｃに設けられている。ハウジング２１は、例えば、鉄等の導電体によって、シリンダ本体２２を覆うように略円筒状に形成されている。シリンダ本体２２は、例えば、鉄等の導電体によって略円筒状に形成され、外装部２０の内部から後方に延設されている。シリンダ本体２２の左右両側面には、雌ネジ部２２ａが穿設されている（図６（Ａ）参照）。ハウジング２１で覆われたシリンダ本体２２は、錠ケース１０のシリンダ取付開口１３に嵌合する外径を有している。
【００２７】
鍵穴部２３は、シリンダ本体２２の前側軸心部に回転可能に支持されている。鍵穴部２３の前端面は、室外に露出して外装部２０の先端面と略面一に形成されている。鍵穴部２３の前端面には、機械的キー（図示せず）が挿入される鍵穴３０が開口している。鍵穴部２３の後端面には、テールピース３１が設けられている。
【００２８】
ダルマ部２４は、シリンダ本体２２の後側内部に回転可能に支持され、ダルマ部２４の軸心部には、室外側からテールピース３１が嵌挿されている（図６参照）。ダルマ部２４の下部には、径方向に延出する作動凸部３２が一体形成されている。作動凸部３２は、シリンダ本体２２の下部に形成される作動溝３３から下方に露出している（図６参照）。これにより、作動凸部３２は、シリンダユニット４を錠ケース１０に取り付けた状態で動力伝達機構１７に係合する（図２参照）。
【００２９】
リーダ２５は、外装部２０の上側内部に設けられ、電気錠３の施解錠に関する入力を受ける。具体的には、リーダ２５は、例えば、非接触型のＩＣカード９に記憶された認証情報を読み取るためのアンテナ等を有している。なお、リーダ２５に代えて、タッチキー、テンキーまたは指紋等の生体認証装置等を用いてもよい。なお、ＩＣカード９に代えて、キーヘッドやタグに認証情報を記憶してもよい。
【００３０】
回路基板２６は、ハウジング２１の内部に収容されている。詳細には、回路基板２６は、シリンダ本体２２の上面に立設する左右一対の基板支持部２２ｂ（図６参照）に支持され、ハウジング２１に覆われている。回路基板２６は、平面視で矩形板状に形成され、錠ケース１０のシリンダ取付開口１３内に位置している。回路基板２６は、リーダ２５に電気的に接続され、リーダ２５に対する操作に基づいてボルト機構１１を動作させる。
【００３１】
回路基板２６上には、第１基板側コネクタ３４と、第２基板側コネクタ３５と、が実装（電気的に接続）されている。
【００３２】
図２および図３に示すように、第１基板側コネクタ３４（コネクタ）は、樹脂製の第１ハウジング３４ａ内に並設される金属製の複数の第１端子３４ｂを有している。第１基板側コネクタ３４は、シリンダユニット４を錠ケース１０に挿設させた状態で、回路基板２６の室内側壁面２ｂ側（後側）に配設されている。
【００３３】
図１および図３に示すように、第２基板側コネクタ３５は、樹脂製のコネクタ基板３５ａ上に並設される金属製の複数の第２端子３５ｂを有している。第２基板側コネクタ３５は、回路基板２６の木口２ａ側に配設されている。
【００３４】
図１および図２に示すように、第２部材としての電装ユニット５は、扉２の室内側壁面２ｂ側に取り付けられ、室内側壁面２ｂ側からシリンダユニット４に連結される。電装ユニット５は、室内側ケース４０と、電源装置４１と、サムターン４２と、を含んで構成されている。
【００３５】
室内側ケース４０は、合成樹脂等の絶縁材料によって上下方向に細長い略矩形箱状に形成されている。室内側ケース４０は、主要な外観を構成するアウターケース４３と、電源ベース４４と、コネクタベース４５と、を含んで構成されている。
【００３６】
電源ベース４４は、アウターケース４３の内側に嵌合するようにトレイ状に形成され、電源装置４１を支持している。コネクタベース４５は、ブロック状に形成され、電源ベース４４の下部に配設されている。
【００３７】
図２および図４に示すように、電源装置４１は、複数の電池５０（乾電池）と、電池ボックス５１と、電源基板５２と、を含んで構成されている。
【００３８】
電池ボックス５１は、電源ベース４４の上下方向略中央に固定され、例えば、２本の円筒型の電池５０を左右方向に並べて保持している。電池ボックス５１の上下両端部には、各電池５０の電極に接触する電源端子（図示せず）が設けられている。各電源端子は、電池ボックス５１の上部に配設される電源基板５２に接続され、適正な電気回路を形成している。電源基板５２は、回路基板２６、電動アクチュエータ１６および駆動制御回路１８等に供給する電力を制御する。電源基板５２は、室内側コネクタ５３に電気的に接続されている。
【００３９】
図４および図５に示すように、相手側コネクタとしての室内側コネクタ５３は、所謂フローティングコネクタであって、コネクタベース４５に支持されている。室内側コネクタ５３は、コネクタベース４５の上面に固定された固定ハウジング５３ａと、固定ハウジング５３ａに対して移動可能な可動ハウジング５３ｂと、両ハウジング５３ａ，５３ｂの間に架設される複数の相手側端子５３ｃと、を有している。固定ハウジング５３ａおよび可動ハウジング５３ｂは、樹脂等の絶縁性材料で形成され、各相手側端子５３ｃは、金属等の導電性材料で形成されている。
【００４０】
図１および図２に示すように、サムターン４２は、室内側ケース４０の下部に設けられ、室内側からユーザによって施解錠（回動）操作される。サムターン４２は、室内側から室外側に向けて延びる回転軸５４を有している。回転軸５４の先端部は、室内側からコネクタベース４５を貫通してシリンダユニット４のダルマ部２４の軸心部に嵌合する。
【００４１】
ここで、手動による電気錠３の施解錠について説明する。室内でユーザがサムターン４２を所定方向に回動させると、回転軸５４を介してダルマ部２４が回動する。一方、室外でユーザが鍵穴３０に挿し込んだ機械的キーを所定方向に回動させると、テールピース３１を介してダルマ部２４が回動する。そして、ダルマ部２４と共に回動する作動凸部３２が動力伝達機構１７を作動させ、デッドボルト１５が進退する。
【００４２】
図６（Ａ）に示すように、シリンダ取付装置６は、シリンダユニット４の物理的（機械的）な固定と電気的な接続とを行うために錠ケース１０の内部に設けられている。シリンダ取付装置６は、装着部材６０と、接続部材６１と、解除付勢部材６２と、を含んで構成されている。
【００４３】
装着部材６０は、例えば、鉄等の金属材料によって略棒状に形成されている。装着部材６０は、取付板１２と錠ケース１０内の支持ブロック６３とによって、左右方向に移動可能、且つ、軸周りに回転可能に支持されている。装着部材６０の一端部（図６の左側）は、取付板１２から外部に露出している。装着部材６０の外端面には、プラスドライバ（図示せず）の先端部が嵌合する十字溝Ｄが凹設されている（図１参照）。装着部材６０の他端部（図６の右側）には、雄ネジ（図示せず）が形成され、シリンダ本体２２に形成される雌ネジ部２２ａに螺合する。
【００４４】
接続部材６１は、背面視で略Ｌ字状に形成され、装着部材６０に上側から跨るように係合している。接続部材６１は、装着部材６０に沿って左右方向に移動可能、且つ、装着部材６０の回転を許容するように係合している。
【００４５】
接続部材６１の他端部（図６の右側）には、コネクタホルダー６３を介してケース内コネクタ６４が設けられている。ケース内コネクタ６４は、コネクタホルダー６３に内設されたコイルスプリング６５によって右方向に付勢されている。
【００４６】
ケース内コネクタ６４は、中継基板６４ａに実装される所謂コンプレッション型のコネクタであって、樹脂製の端子保持部６４ｂ内に並設される金属製の複数の接触端子６４ｃを有している。ケース内コネクタ６４は、電気錠３内の駆動制御回路１８を介して電動アクチュエータ１６に電気的に接続されている。
【００４７】
解除付勢部材６２（所謂コイルスプリング）は、装着部材６０に巻回するように設けられ、装着部材６０を木口２ａ側に向けて付勢している。
【００４８】
図１ないし図５に示すように、第１実施形態に係る電気錠システム１は、シリンダユニット４と電装ユニット５とを連結するための取付構造７０を備えている。取付構造７０は、上記したシリンダユニット４のハウジング２１および第１基板側コネクタ３４と、一対の位置決め突起７１と、板状端子７２と、上記した電装ユニット５の室内側コネクタ５３と、一対の位置決め孔７３と、バネ端子７４と、を含んで構成されている。
【００４９】
図３に示すように、位置決め部材としての一対の位置決め突起７１は、シリンダ本体２２の後端面上部において左右方向に離間して設けられている。左右一対の位置決め突起７１は、それぞれ、略円筒状に形成され、シリンダ本体２２の後端面から後方に向けて延設されている。詳細には、扉２の木口２ａ側の位置決め突起７１は円形断面に形成され、扉２の吊元側の位置決め突起７１は平坦な上面を有する略半円形断面に形成されている。各位置決め突起７１の軸心部には、雌ネジ孔７１ａが穿設されている。
【００５０】
第１グランド端子としての板状端子７２は、例えば、鉄等の導電体によって、平面視で前後方向に長い矩形平板状に形成されている。板状端子７２は、扉２の吊元側の位置決め突起７１の上面に樹脂製のホルダー７５を介して支持されている。板状端子７２の一端部（前端部）は、回路基板２６の下面（裏面）に形成されるシグナル・グランド（図示せず）に電気的に接続されている。シグナル・グランドは、ハウジング２１に電気的に接続されている。つまり、板状端子７２は、フレーム・グランド（ＦＧ）としてのハウジング２１に電気的に接続される。
【００５１】
図４および図５に示すように、被位置決め部材としての一対の位置決め孔７３は、コネクタベース４５の前端面上部において左右方向に離間して穿設されている。左右一対の位置決め孔７３は、それぞれ、コネクタベース４５を前後方向に貫通して形成されている（図２参照）。詳細には、扉２の木口２ａ側の位置決め孔７３は平面視で円形に形成され、扉２の吊元側の位置決め突起７１は平面視で平坦な上面を有する略半円形に形成されている。なお、各位置決め突起７１は、位置決め孔７３と略同一の長さに形成されている。
【００５２】
第２グランド端子としてのバネ端子７４は、例えば、鉄等の導電体によって構成されている。バネ端子７４は、扉２の吊元側の位置決め孔７３の前端部上側から下方に突出するように設けられている。詳細には、バネ端子７４は、一端部を電源基板５２のグランド（ＧＮＤ）に電気的に接続し、下方に凸となるように折り曲げられて側面視で略三角形状に形成されている。バネ端子７４の他端部は、位置決め孔７３の内部に位置しており自由端となっている。バネ端子７４は、自身の弾性力によって、上下方向に僅かに変位可能に形成されている。
【００５３】
次に、図２、図６および図７を参照して、電気錠システム１の取り付け手順について説明する。図７は取付構造７０を模式的に示す断面図であって、（Ａ）は電装ユニット５の取り付けを開始した状態を示し、（Ｂ）は電装ユニット５を取り付けた状態を示している。
【００５４】
まず、作業者は、電気錠３を木口２ａから扉２の内部に挿入し、取付板１２を木口２ａにネジ留めする（図２参照）。これにより、電気錠３は、扉２内に取り付けられる。このとき、取付板１２は、木口２ａと略同一平面上に固定される（図６参照）。
【００５５】
次に、作業者は、シリンダユニット４を扉２の室外側壁面２ｃ側から錠ケース１０のシリンダ取付開口１３に挿し込む。外装部２０が室外側壁面２ｃに当接することで、シリンダユニット４の挿入が規制される。シリンダユニット４は、錠ケース１０（シリンダ取付開口１３）に挿設された状態となる（図２参照）。
【００５６】
シリンダユニット４を錠ケース１０に挿設した状態で、ダルマ部２４や第１基板側コネクタ３４等は、室内側壁面２ｂ側のシリンダ取付開口１３の内側近傍に位置している（図２参照）。また、この状態で、第２基板側コネクタ３５は、錠ケース１０内に位置している（図６参照）。さらに、左右一対の位置決め突起７１は、扉２の室内側壁面２ｂから室内側に突出している（図２および図７参照）。なお、シリンダユニット４（シリンダ本体２２）は、錠ケース１０を貫通してもよい。この場合、ダルマ部２４や第１基板側コネクタ３４等は、シリンダ取付開口１３から室内側壁面２ｂ側に突出していてもよい。
【００５７】
次に、作業者は、シリンダ取付装置６を用いて、電気錠３に対するシリンダユニット４の物理的な固定作業と電気的な接続作業と（以下、「固定・接続作業」と呼ぶ。）を実行する。図６（Ａ）に示すように、固定・接続作業前の装着部材６０の一端部は、解除付勢部材６２に付勢されて取付板１２から突出している。すなわち、装着部材６０は、電気錠３に対するシリンダユニット４の固定を解除する解除位置Ｐ１に位置している。
【００５８】
作業者は、解除位置Ｐ１にある装着部材６０の十字溝Ｄにプラスドライバの先端部を嵌め、解除付勢部材６２の付勢力に抗して装着部材６０を扉２の吊元側（右方向）に向けて押し込む。装着部材６０は、右方向にスライドし、接続部材６１は、装着部材６０上を相対的に左方向にスライドする。そして、装着部材６０の他端部（雄ネジ）は、シリンダユニット４の雌ネジ部２２ａの周縁部に当接する。
【００５９】
次に、作業者は、プラスドライバによって装着部材６０を所定方向（例えば、時計回り）に回転させて雌ネジ部２２ａに螺合させる。当該螺合の進行によって、装着部材６０および接続部材６１は、共に右方向に移動する。図６（Ｂ）に示すように、装着部材６０の螺合が完了すると、装着部材６０は、シリンダユニット４を電気錠３に固定するための固定位置Ｐ２に移動する。一方、接続部材６１は、コネクタホルダー６３内のコイルスプリング６５を圧縮し、コイルスプリング６５は、ケース内コネクタ６４を第２基板側コネクタ３５に向けて付勢する。各接触端子６４ｃは第２端子３５ｂに圧接され、ケース内コネクタ６４は、第２基板側コネクタ３５に電気的に接続される。
【００６０】
以上によって、電気錠３に対するシリンダユニット４の固定・接続作業が完了する。
【００６１】
次に、作業者は、電装ユニット５を扉２の室内側壁面２ｂ側からシリンダユニット４に取り付ける。詳細には、作業者は、サムターン４２の回転軸５４をシリンダユニット４のダルマ部２４に連結させる。また、図７（Ａ）に示すように、作業者は、左右一対の位置決め突起７１を左右一対の位置決め孔７３に嵌合させる。この際、バネ端子７４は、僅かに上方に向けて弾性変形し、板状端子７２の上面に弾力性をもって接触する。これにより、電源基板５２のグランド（ＧＮＤ）は、各端子７２，７４および回路基板２６のシグナル・グランドを介してハウジング２１（ＦＧ）に接地される。
【００６２】
続いて、作業者は、各位置決め孔７３に進入する各位置決め突起７１をガイドにして、電装ユニット５をシリンダユニット４に向けて（前方）に向けて押し込む。シリンダユニット４と電装ユニット５との機械的な接続が進むと、バネ端子７４は、板状端子７２の上面を前方に摺動して行く。更に当該機械的な接続が進むと、図７（Ｂ）に示すように、室内側コネクタ５３（可動ハウジング５３ｂ）が第１基板側コネクタ３４（第１ハウジング３４ａ）に嵌合する。そして、各相手側端子５３ｃと各第１端子３４ｂとが接触する。これにより、シリンダユニット４と電装ユニット５とが機械的に接続されると共に、室内側コネクタ５３と第１基板側コネクタ３４とが電気的に接続される。
【００６３】
以上のように、位置決め突起７１と位置決め孔７３との機械的な接続過程において、板状端子７２とバネ端子７４との接続は、第１基板側コネクタ３４と室内側コネクタ５３との接続よりも前に行われる。つまり、電源装置４１（電源基板５２）のグランド接続が確保された後に、室内側コネクタ５３と第１基板側コネクタ３４とが接続される。
【００６４】
なお、室内側コネクタ５３と第１基板側コネクタ３４とが互いに位置ずれしている場合、各コネクタ３４，５３の接続過程において、可動ハウジング５３ｂは、各相手側端子５３ｃの弾性によって位置ずれを吸収するように移動する。このため、位置ずれがあったとしても、各コネクタ３４，５３同士の適切な導通接続を行うことができる。
【００６５】
また、各置決め孔７３に挿設された各位置決め突起７１の雌ネジ孔７１ａには、雄ネジ（図示せず）が螺合する。これにより、電装ユニット５は、シリンダユニット４に機械的・電気的に接続された状態で、扉２の室内側壁面２ｂに取り付けられる（図２参照）。
【００６６】
次に、作業者は、室内側レバーハンドル７および室外側レバーハンドル８を、それぞれ、錠ケース１０のハンドル取付開口１４に挿し込んで、その台座部分を扉２の各壁面に取り付ける（図１参照）。
【００６７】
以上によって、電気錠システム１の取り付けが完了する。この状態で、電源装置４１（電源基板５２）は、各コネクタ５３，３４，３５，６４を介して、シリンダユニット４のリーダ２５や回路基板２６、ボルト機構１１の電動アクチュエータ１６や駆動制御回路１８等に電力を供給する。
【００６８】
なお、以上説明した電気錠システム１の取り付け手順の逆工程を実行することによって電気錠システム１を扉２から取り外すことができる。
【００６９】
次に、電気錠システム１の解錠動作について簡単に説明する。室外側から入室しようとする者（ユーザ）は、ＩＣカード９をリーダ２５にかざす（図２参照）。リーダ２５は、ＩＣカード９から読み取った認証情報を回路基板２６に送信する。回路基板２６は、読み取った認証情報と特定の認証情報とを比較、判別する。この結果、各認証情報が合致すると判別された場合、回路基板２６から各コネクタ３５，６４を介して電気錠３の駆動制御回路１８に解錠信号が出力され、電動アクチュエータ１６の駆動によって電気錠３が解錠される。一方、合致せずと判別された場合には、回路基板２６からの解錠信号が送信されず、電気錠３の解錠は行われない。なお、施解錠に必要な特定の認証情報は、回路基板２６上に実装される記憶装置（図示せず）に予め記憶されている。
【００７０】
以上説明した第１実施形態に係る電気錠システム１によれば、板状端子７２とバネ端子７４との接続は、第１基板側コネクタ３４と室内側コネクタ５３との接続よりも先に行われる。また、両端子７２，７４が接続されると、電源装置４１のグランド（ＧＮＤ）は、両端子７２，７４を介してフレーム・グランドとしてのハウジング２１に接続される。これにより、安定した基準電位を得ることができる。例えば、電源装置４１の電池ボックス５１に電池５０を保持させた状態（電力供給可能な状態）で両コネクタ３４，５３の接続を行った場合であっても、適切なグランド接続が確立されているため、回路基板２６や電源装置４１の電気部品の破壊や動作不良を防止することができる。また、シリンダユニット４と電装ユニット５との機械的な接続中に、板状端子７２とバネ端子７４とが接続される。つまり、両接続作業を一連の動作によって行うことができる。これにより、シリンダユニット４と電装ユニット５との機械的・電気的な接続を簡単に且つ迅速に行うことができる。
【００７１】
また、第１実施形態に係る電気錠システム１によれば、シリンダユニット４は電装ユニット５側に向かって錠ケース１０に挿設されるため、第１基板側コネクタ３４、位置決め突起７１および板状端子７２は、それぞれ電装ユニット５側に位置している。これにより、シリンダユニット４と電装ユニット５との機械的・電気的な接続を、更に容易に行うことができる。
【００７２】
また、第１実施形態に係る電気錠システム１によれば、左右一対の位置決め突起７１は、扉２の壁面２ｂ，２ｃに対する離接方向に沿って延びているため、位置決め孔７３に進入する位置決め突起７１をガイドにして、シリンダユニット４と電装ユニット５との機械的な接続を行うことができる。また、位置決め孔７３に進入する位置決め突起７１にガイドされて、板状端子７２とバネ端子７４との接続を行うことができる。バネ端子７４は、自身の弾性力によって板状端子７２に圧接するため、適切な接触状態を維持することができる。
【００７３】
なお、第１実施形態に係る電気錠システム１は、シリンダユニット４に一対の位置決め突起７１を設け、電装ユニット５に一対の位置決め孔７３を設けたが、本発明はこれに限定されない。例えば、シリンダユニット４に一対の位置決め孔７３を設け、電装ユニット５に一対の位置決め突起７１を設けてもよい。また、位置決め突起７１（位置決め孔７３）は、シリンダユニット４以外（例えば錠ケース１０等）に設けてもよい。また、位置決め突起７１および位置決め孔７３の数は、１つ以上設けられていればよい。さらに、位置決め突起７１および位置決め孔７３の形状（断面形状や長さ等）は任意に形成されてもよい。
【００７４】
なお、バネ端子７４および板状端子７２は、任意に選択した１つの位置決め突起７１および位置決め孔７３に設けられていればよい。また、位置決め突起７１にバネ端子７４を設け、位置決め孔７３に板状端子７２を設けてもよい。
【００７５】
なお、第１基板側コネクタ３４は、回路基板２６上に実装されていなくてもよい。図示は省略するが、例えば、第１基板側コネクタ３４が、回路基板２６から延びるケーブルの先端部に接続されてケーブルハーネスを構成してもよい。同様に、室内側コネクタ５３が、電源基板５２から延びるケーブルの先端部に接続されてケーブルハーネスを構成してもよい。
【００７６】
なお、第１実施形態に係る電気錠システム１は、電動アクチュエータ１６および駆動制御回路１８を錠ケース１０内に設けたが、本発明はこれに限定されない。図示は省略するが、例えば、電動アクチュエータ１６および駆動制御回路１８が、電装ユニット５（室内側ケース４０）に内設されていてもよい。この場合、第２基板側コネクタ３５やケース内コネクタ６４（接続部材６１）等を省略することができる。また、例えば、電動アクチュエータ１６および駆動制御回路１８は、シリンダユニット４に内蔵されてもよい。この場合、電動アクチュエータ１６がダルマ部２４を回転駆動することによって、電気錠３の施解錠が行われる。
【００７７】
なお、第１実施形態に係る電気錠システム１は、室内側コネクタ５３としてフローティングコネクタを採用し、第１基板側コネクタ３４として一般的なコネクタを採用したが、本発明はこれに限定されない。第１基板側コネクタ３４としてフローティングコネクタを採用し、室内側コネクタ５３として一般的なコネクタを採用してもよい。また、両コネクタ３４，５３を一般的なコネクタとしてもよい。
【００７８】
なお、第１実施形態に係る電気錠システム１のシリンダユニット４は、室外側に設けられていたが、室内側に設けられていてもよい。また、扉２は室内に設けられる場合もある。
【００７９】
（第２実施形態）
次に、図８を参照して、第２実施形態に係る電気錠システム８０について説明する。図８は電気錠システム８０を模式的に示す側断面図である。なお、上記した第１実施形態に係る電気錠システム１と同様の構成については、同一の符号を付し、説明を省略する。
【００８０】
電気錠システム８０は、木口２ａから扉２内に挿入される錠ケース８１と、扉２の室外側壁面２ｃに取り付けられる外側ユニット８２と、扉２の室内側壁面２ｂに取り付けられる内側ユニット８３と、を備えている。
【００８１】
錠ケース８１は、デッドボルト１５やダルマ（図示せず）を含む機械式の施解錠機構を内包している。
【００８２】
外側ユニット８２（第１部材）は、上下方向に細長い略矩形箱状に形成されている。外側ユニット８２は、公知のシリンダ９０、リーダ２５および回路基板２６等を有している。シリンダ９０は、外側ユニット８２の下部に設けられている。外側ユニット８２の上下方向中間部および上部には、それぞれ、外側取付柱９１および外側雌ネジ部９２が設けられている。外側取付柱９１および外側雌ネジ部９２は、それぞれ、外側ユニット８２の後面から後方（離接方向）に向けて延設されている。回路基板２６は、金属製のインナーハウジング９３に収納されている。回路基板２６のシグナル・グランドは、インナーハウジング９３（ＦＧ）に接続されている。回路基板２６には、第１基板側コネクタ３４が実装されている。なお、第２基板側コネクタ３５は省略されている。
【００８３】
内側ユニット８３（第２部材，電気錠）は、電動アクチュエータ１６、駆動制御回路１８、電源装置４１およびサムターン４２等を有している。電源装置４１の電源基板５２は、駆動制御回路１８に接続されている。室内側コネクタ５３は、電源基板５２から延びるケーブル９４の先端部に接続されてケーブルハーネスを構成している。サムターン４２は、内側ユニット８３の下部に設けられている。内側ユニット８３の上下方向中間部および上部には、それぞれ、内側取付柱９５およびネジ挿通孔９６が設けられている。内側取付柱９５は、内側ユニット８３の前面から前方（離接方向）に向けて延設されている。なお、内側取付柱９５の長さは、扉の厚みよりも僅かに短く形成されている。
【００８４】
電気錠システム８０は、外側ユニット８２と内側ユニット８３とを連結するための取付構造１００を備えている。取付構造１００は、インナーハウジング９３と、第１基板側コネクタ３４と、外側取付柱９１と、板状端子７２と、室内側コネクタ５３と、内側取付柱９５と、バネ端子７４と、を含んで構成されている。
【００８５】
位置決め部材としての外側取付柱９１は、略円柱状に形成され、上面に板状端子７２を支持している。被位置決め部材としての内側取付柱９５は、略中空円筒状に形成されている。内側取付柱９５の中空部の前端部上側には、バネ端子７４が下方に突出するように設けられている。
【００８６】
電気錠システム８０の取り付け手順について簡単に説明する。
【００８７】
作業者は、錠ケース８１を扉２の内部に取り付ける。作業者は、錠ケース８１のダルマにサムターン４２の回転軸５４を嵌合させ、内側ユニット８３を室内側壁面２ｂに仮固定する。なお、室内側コネクタ５３は、扉２を貫通して室外側壁面２ｃから外側に露出している。
【００８８】
次に、作業者は、外側ユニット８２の外側取付柱９１の先端部を内側ユニット８３の内側取付柱９５の中空部に進入させる。この状態で、板状端子７２の上面にバネ端子７４が接触するため、電源基板５２のグランド（ＧＮＤ）は、各端子７２，７４および回路基板２６のシグナル・グランドを介してインナーハウジング９３（ＦＧ）に接地される。その後、作業者は、室内側コネクタ５３を第１基板側コネクタ３４に接続する。
【００８９】
次に、作業者は、内側取付柱９５に進入する外側取付柱９１をガイドにして、外側ユニット８２を内側ユニット８３に向けて（後方）に向けて押し込む。なお、シリンダ９０のテールピースは、錠ケース８１のダルマに嵌合する。そして、作業者は、内側ユニット８３のネジ挿通孔９６に通した取付ネジＳを外側雌ネジ部９２に螺合させることで、外側ユニット８２を室外側壁面２ｃに取り付ける。以上によって、外側ユニット８２および内側ユニット８３は、錠ケース８１を挟み込むように扉２に取り付けられる。
【００９０】
以上説明した第２実施形態に係る電気錠システム８０によれば、上記した電気錠システム１と同様の効果を得ることができる。
【００９１】
なお、外側取付柱９１を略中空円筒状に形成し、内側取付柱９５を略円柱状に形成してもよい。また、外側取付柱９１および内側取付柱９５の数は１つ以上設けられていればよいし、これらの形状（断面形状や長さ等）は任意に形成されてもよい。なお、電動アクチュエータ１６および駆動制御回路１８は、外側ユニット８２に内蔵されてもよい。
【００９２】
なお、第２実施形態に係る取付構造１００の室内側コネクタ５３は、ケーブル９４の先端部に接続されてケーブルハーネスを構成していたが、本発明はこれに限定されない。第１実施形態に係る取付構造７０と同様に、室内側コネクタ５３を内側ユニット８３に対し固定的に設けてもよい。例えば、内側取付柱９５の先端上部に室内側コネクタ５３を固定してもよいし、内側ユニット８３にコネクタ支持部（図示せず）を追加して室内側コネクタ５３を固定してもよい。なお、室内側コネクタ５３と同様に、第１基板側コネクタ３４が、回路基板２６から延びるケーブルの先端部に接続されてケーブルハーネスを構成してもよい。
【００９３】
なお、上記した本発明の実施形態の説明は、本発明に係る電気錠システム（の取付構造）における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００９４】
１，８０  電気錠システム
２  扉
２ａ  木口
２ｂ  室内側壁面（一方の壁面）
２ｃ  室外側壁面（他方の壁面）
３  電気錠
４  シリンダユニット（第１部材）
５  電装ユニット（第２部材）
１０，８１  錠ケース
１１  ボルト機構
１５  デッドボルト
２１  ハウジング
２６  回路基板
３４  第１基板側コネクタ（コネクタ）
４１  電源装置
５３  室内側コネクタ（相手側コネクタ）
７０，１００  取付構造
７１  位置決め突起（位置決め部材）
７２  板状端子（第１グランド端子）
７３  位置決め孔（被位置決め部材）
７４  バネ端子（第２グランド端子）
８２  外側ユニット（第１部材）
８３  内側ユニット（第２部材）
９１  外側取付柱（位置決め部材）
９３  インナーハウジング（ハウジング）
９５  内側取付柱（被位置決め部材）
【図１】
2015190297.tif 000003
【図２】
2015190297.tif 000004
【図３】
2015190297.tif 000005
【図４】
2015190297.tif 000006
【図５】
2015190297.tif 000007
【図６】
2015190297.tif 000008
【図７】
2015190297.tif 000009
【図８】
2015190297.tif 000010